(57)【要約】【課題】洗濯機の防水パンへの設置および引き出しの両作業を容易とすると共に、両作業毎に要する治具を不要とし、また、洗濯機の防水パンへの設置および引き出しを行うための治具の取り付けおよび取り外しの作業を不要とする。【解決手段】洗濯機支持台において、防水パンに配置する洗濯機支持台の支持面と、防水パンの周辺を囲む周壁の立ち上がり部の内、少なくとも洗濯機を防水パンに導出入する際に乗り越える立ち上がり部の上端とが同じ高さとすることによって、洗濯機を防水パンに設置する際および洗濯機を防水パンから取り出す際の作業を軽減する。洗濯機支持台は、洗濯機を防水パンに設置する際に、防水パンと洗濯機の間に配置された状態で保持されるため、従来、洗濯機の設置と洗濯機の取り出しの各作業に用いていた治具、および治具の取り付けおよび取り外し作業を不要とすることができる。【選択図】図１
2013198558.tif 000002
【特許請求の範囲】
【請求項１】
平面矩形状の載置面の四方周縁に、上方に向かって突設した立ち上がり部からなる周壁を備える防水パンに対して、前記載置面上に着脱自在に設置し、前記防水パンに配置した洗濯機の脚部を支持する洗濯機支持台であり、
前記洗濯機支持台の支持面の高さは、前記防水パンの載置面から、周壁の立ち上がり部の内、少なくとも前記洗濯機を導出入する側の導出入側立ち上がり部の上端部までの高さと同じ高さであり、
洗濯機支持台を防水パンの載置面上に配置した状態において、前記洗濯機の脚部は、洗濯機支持台の支持面と、前記防水パンの周壁の少なくとも導出入側立ち上がり部の上端部とを、同じ高さレベルで移動自在であることを特徴とする洗濯機支持台。
【請求項２】
前記洗濯機支持台は、洗濯機の脚部を支持する１つの支持部材を備え、
前記１つの支持部材は、洗濯機の脚部を支持する支持面を備える平面矩形状の部材であり、前記部材の周囲の４辺の外寸は、設置する防水パンの載置面の四方周縁の内寸よりも小さく、防水パンの載置面上に設置した際に、前記部材の外周側壁面と防水パンの載置面の四方周縁の内壁面との間に隙間を有することを特徴とする、請求項１に記載の洗濯機支持台。
【請求項３】
前記洗濯機支持台は、洗濯機の脚部を支持する２つの支持部材と、前記２つの支持部材と連結する連結部材とを備え、
前記各支持部材は、洗濯機の奥行き方向に並ぶ２つの脚部を長手方向に支持する支持面を備え、
前記連結部材は、前記２つの支持部材の内、少なくとも１つの支持部材と連結する連結位置が変更自在とし、当該連結位置を変更することによって、前記２つの支持部材間の配置距離を変更自在とすることを特徴とする、請求項１に記載の洗濯機支持台。
【請求項４】
前記連結部材と、当該連結部材との連結位置を変更自在とする支持部材は、互いに係合する複数の凹凸形状部が形成された結合部を、両部材の連結状態において互いに対向する面にそれぞれ備え、
前記連結部材と前記支持部材の凹凸形状部が互いに係合する位置によって、前記連結部材と前記支持部材とが連結する連結位置を調整自在とすることを特徴とする、請求項３に記載の洗濯機支持台。
【請求項５】
前記支持部材は、平面形状が奥行き方向に向かって幅が広くなる台形形状であり、
前記連結部材は、平面形状が奥行き方向に向かって幅が狭くなる台形形状であり、
前記２つの支持部材と前記連結部材は、互いに係合する複数の凹凸形状部が形成された結合部を、前記載置面上に配置した際に支持部材と前記連結部材が互いに対向する面にそれぞれ備え、
前記連結部材と前記支持部材の凹凸形状部が互いに係合する係合位置によって、前記連結部材と前記支持部材とが連結する連結位置を調整自在とすることを特徴とする、請求項３に記載の洗濯機支持台。
【請求項６】
前記支持部材は、長手方向の辺の内の少なくとも一方の辺に、前記支持面よりも高く突設した凸部を備え、
前記凸部は、支持面上に支持する洗濯機の脚部の横方向の移動を抑制することを特徴とする請求項２から４の何れかに記載の洗濯機支持台。
【発明の詳細な説明】
【技術分野】
【０００１】
本発明は、洗濯機を防水パンに設置するための洗濯機の支持台に関する。
【背景技術】
【０００２】
洗濯機用の防水パンは、洗濯機から滴下あるいは漏れた水を受けとめ、床面への漏水を防ぐものである。一般に洗濯機の脚部を収納する大きさの四角形状をなし、周囲を囲む四辺の周壁に立ち上がり部を備え、周壁で囲まれた載置面上に洗濯機を設置することによって、床面への漏水を防いでいる。
【０００３】
洗濯機を防水パンに設置するには、洗濯機の後方の脚部を持ち上げて防水パンの周壁の立ち上がり部を乗り越えさせた後、防水パンの載置面上で洗濯機の後方脚部を滑らせて移動させ、その後、洗濯機の前方脚部を持ち上げて防水パンの周壁の立ち上がり部を乗り越えさせることによって、洗濯機を防水パンの内側に入れて載置面上に下ろしている。
【０００４】
また、洗濯機を防水パンから取り出すには、洗濯機の前方の脚部を持ち上げて防水パンの周壁の立ち上がり部を乗り越えさせた後、洗濯機の後方脚部を防水パンの載置面上で滑らせて移動させ、洗濯機の後方脚部を持ち上げて防水パンの周壁の立ち上がり部を乗り越えさせることによって、洗濯機を防水パンから取り出している。
【０００５】
この洗濯機の防水パンへの設置および防水パンからの取り出しは、通常、作業者の人手によって行われている。
【０００６】
洗濯機には洗濯機能に加えて脱水機能や乾燥機能を備える機種も有り、重量化する傾向にある。洗濯機を防水パンに設置する際、および防水パンから洗濯機を取り出す際に、重量のある洗濯機を持ち上げて防水パンの周壁の立ち上がり部を乗り越えさせる作業は、作業者にとって大きな労力を要する。特に、洗濯機を屋内に設置する際に、洗濯機の背面を室内の壁面に近づけて配置する場合には、多大な労力が求められる。
【０００７】
図１０は洗濯機の従来の防水パンへの配置を説明するための図である。図１０（ａ）は洗濯機１０１の後方脚部１０２ｂを持ち上げることによって、防水パン１１１の立ち上がり部１１３ａを乗り越えさせた状態を示している。図１０（ｂ）は、後方脚部１０２ｂを防水パン１１１の載置面１１４上で滑らせて奥行き方向に移動させた後、次に、洗濯機１０１の前方脚部１０２ａを持ち上げることによって、防水パン１１１の立ち上がり部１１３ａを乗り越えさせた状態を示している。
【０００８】
洗濯機１０１の防水パン１１１への設置作業では、はじめに、洗濯機１０１の後方脚部１０２ｂを持ち上げて、防水パン１１１の立ち上がり部１１３ａを乗り越えさせた後、防水パン１１１の載置面１１４上を後方の立ち上がり部１１３ｂの方向に向かって移動させる。その後、洗濯機１０１の前方脚部１０２ａを持ち上げて、防水パン１１１の立ち上がり部１１３ａを乗り越えさせる。
【０００９】
前方脚部１０２ａを防水パン１１１の立ち上がり部１１３ａよりも高く持ち上げるには、洗濯機１０１を壁面１２１側に傾けさせる必要があるが、この際、洗濯機１０１の背面１０３が室内の壁面１２１に接近している場合には、背面１０３の上方部分が壁面１２１に当たって洗濯機１０１を十分に傾けることが難しくなる。そのため、洗濯機１０１の前方脚部１０２ａを防水パン１１１の立ち上がり部１１３ａよりも高く持ち上げることが難しくなる。
【００１０】
また、防水パン１１１から洗濯機１０１を取り出す作業では、はじめに、洗濯機１０１の前方脚部１０２ａを持ち上げて、防水パン１１１の立ち上がり部１１３ａを乗り越えさせた後、後方脚部１０２ｂを防水パン１１１の載置面１１４上において前方の立ち上がり部１１３ａの方向に向かって移動させる。その後、洗濯機１０１の後方脚部１０２ｂを持ち上げて、防水パン１１１の立ち上がり部１１３ａを乗り越えさせる。
【００１１】
防水パン１１１から洗濯機１０１を取り出す作業においても、洗濯機１０１の背面１０３が壁面１２１に接近している場合には、背面１０３の上方部分が壁面１２１に当たって洗濯機１０１を十分に傾けることが難しく、洗濯機１０１の前方脚部１０２ａを防水パン１１１の立ち上がり部１１３ａよりも高く持ち上げることは難しい。
【００１２】
また、排水トラップのメンテナンス作業において、防水パン１１１に設置した洗濯機１０１を防水パン１１１から移動させる際に、重量のある洗濯機を移動させることは困難であるという問題がある他、洗濯機の外面と室内の壁面とが接近しているために洗濯機と洗濯機の外面と室内の壁面とが接触して壁面を損傷するという問題がある。
【００１３】
上記した、洗濯機を防水パンに設置する際の問題に対して、洗濯機を防水パンに設置するための設置用部材が提案されている（特許文献１）。特許文献１に示される設置用部材は、棒状または板状の部材であって、洗濯機を載置する防水パンの前後の立ち上がり部上に設置用部材を差し渡して置き、この設置用部材の上面において洗濯機をスライドして移動させ、その後、洗濯機を左右に傾けて設置用部材を抜き取ることによって、洗濯機を防水パンの載置面に設置する。
【００１４】
また、上記した、洗濯機を防水パンから取り出す際の問題に対して、洗濯機を防水パンから引き出すための引き出し台が提案されている（特許文献２）。
【００１５】
特許文献２に示される洗濯機用の引き出し台は、引き出し台の台本体の一方の辺部上縁に庇部を設け、台本体に庇部の上面から台本体の上面に渡って進退移動できる移動台座を設け、この移動台座に洗濯機の脚部を載せて台本体の上面を移動させることによって、移動の際の洗濯機の外面と壁面との接触を防いでいる。
【先行技術文献】
【特許文献】
【００１６】
【特許文献１】特開２００８−２２０４７７号公報
【特許文献２】特開２０１１−１４７５９０号公報
【発明の概要】
【発明が解決しようとする課題】
【００１７】
特許文献１で示される設置用部材、および特許文献２で示される洗濯機用引き出し台は、防水パンへの設置あるいは防水パンからの引き出しの何れか一方に用いられる部材であり、防水パンへの設置および防水パンからの引き出しの両方に適用することができず、設置と引き出しの両方を行うには設置用部材と洗濯機用引き出し台の二つの治具が必要となる。
【００１８】
また、特許文献１の設置用部材は、洗濯機を防水パンに設置する際の所定位置に取り付ける作業に加えて、洗濯機を防水パンに設置した後に、設置用部材を取り外す作業が必要である。また、特許文献２の洗濯機用引き出し台は、洗濯機を引き出す際の所定位置に取り付ける作業に加えて、洗濯機を防水パンから引き出した後に、洗濯機用引き出し台を取り外す作業が必要である。したがって、設置用部材と洗濯機用引き出し台の何れの治具も洗濯機の設置作業や引き出し作業という本来の作業の他に、治具の取り付け作業および取り外し作業を追加して行う必要があるという問題がある。
【００１９】
そこで、本発明は前記した従来の問題点を解決し、洗濯機の防水パンへの設置および引き出しの両作業を、スペースが限られた場所であっても容易とすると共に、両作業にそれぞれ要した治具を不要とすることを目的とする。
【００２０】
また、洗濯機の防水パンへの設置および取り出しを行うための治具自体の取り付け作業および取り外し作業を不要とすることを目的とする。
【課題を解決するための手段】
【００２１】
本発明は、洗濯機支持台において、防水パンに配置する洗濯機支持台の支持面と、防水パンの周辺を囲む周壁の立ち上がり部の内、少なくとも洗濯機を防水パンに導出入する際に乗り越える立ち上がり部の上端とを同じ高さとすることによって、洗濯機を防水パンに設置する際および洗濯機を防水パンから取り出す際の作業を軽減する。
【００２２】
また、本発明の洗濯機支持台は、洗濯機を防水パンに設置した際に、防水パンと洗濯機の間に配置された状態で保持されるため、従来、洗濯機の設置と洗濯機の取り出しの各作業に用いていた治具、および治具の取り付けおよび取り外し作業を不要とすることができる。
【００２３】
本発明の洗濯機支持台は、平面矩形状の載置面の四方周縁に、上方に向かって突設した立ち上がり部からなる周壁を備える防水パンに対して、防水パンの載置面上に着脱自在に設置し、防水パンに配置した洗濯機の脚部を支持する洗濯機支持台である。
【００２４】
洗濯機支持台の支持面の高さは、防水パンの載置面から、防水パンの周囲を囲む周壁の４つの立ち上がり部の内、少なくとも洗濯機を導出入する側の導出入側立ち上がり部の上端部までの高さと同じ高さである。洗濯機支持台の支持面の高さを、防水パンの周壁の立ち上がり部の高さとあわせることによって、洗濯機支持台を防水パンの載置面上に配置した状態において、洗濯機の脚部は、洗濯機支持台の支持面と、防水パンの周壁の少なくとも導出入側立ち上がり部の上端部とを同じ高さレベルで移動することができ、従来、洗濯機を防水パンに対して配置あるいは取り出す際に要していた作業の困難性を低減することができる。
【００２５】
本発明の洗濯機支持台は、洗濯機支持台の本体を１つの部材で構成する形態の他に、洗濯機支持台の本体を２つの部材で構成する形態とすることができる。
【００２６】
［洗濯機支持台を１つの部材で構成する形態］
洗濯機支持台の本体を１つの部材で構成する形態において、洗濯機支持台は、洗濯機の脚部を支持する１つの支持部材を備える。
【００２７】
１つの支持部材は、洗濯機の脚部を支持する支持面を備える平面矩形状の部材であり、部材の平面矩形の周囲の４辺の外寸は、設置する防水パンの載置面の四方周縁の内寸よりも小さく、防水パンの載置面上に設置した際に、部材の外周側壁面と防水パンの載置面の四方周縁の内壁面との間に隙間を有する。
【００２８】
部材の外周側壁面と防水パンの内壁面との間に隙間を有することによって、洗濯機からの漏水は支持面に溜まることなく防水パンの載置面に流れ落ち、その後、載置面に形成された排水口を通して排水管等に排水することができる。
【００２９】
［洗濯機支持台を２つの部材で構成する形態］
洗濯機支持台の本体を２つの部材で構成する形態において、洗濯機支持台は、洗濯機の脚部を支持する２つの支持部材と、２つの支持部材と連結する連結部材とを備える。
【００３０】
２つの支持部材は支持面を備え、この支持面は洗濯機の奥行き方向に並ぶ２つの脚部を長手方向に支持する。連結部材は、２つの支持部材の内、少なくとも１つの支持部材と連結する連結位置を変更自在とし、この連結位置を変更することによって、２つの支持部材間の配置距離を変更自在とする。
【００３１】
連結部材と支持部材との連結において、連結部材は２つの支持部材との連結位置を変更自在とする構成とする他、一方の支持部材との連結を固定位置で行い、他方の支持部材と連結する位置を変更自在とする構成とすることができる。
【００３２】
連結部材と支持部材との間において連結位置を変更自在とする構成は、複数の構成で実現することができる。
【００３３】
第１の構成例は、連結部材と、この連結部材との連結位置を変更自在とする支持部材とに、互いに係合する複数の凹凸形状部が形成された結合部を、両部材の連結状態において互いに対向する面にそれぞれ備える。連結部材と支持部材の凹凸形状部が互いに係合する位置を変えることによって、連結部材と支持部材とが連結する連結位置を調整自在とすることができる。
【００３４】
第２の構成例は、それぞれ台形形状の支持部材と連結部材を備える。支持部材は、平面形状が奥行き方向に向かって幅が広くなる台形形状であり、連結部材は、平面形状が奥行き方向に向かって幅が狭くなる台形形状である。２つの支持部材と連結部材は、互いに係合する複数の凹凸形状部が形成された結合部を、載置面上に配置した際に支持部材と連結部材が互いに対向する面にそれぞれ備える。
【００３５】
２つの支持部材の斜辺の側面を対向させて配置すると、支持部材の間に、奥行き方向に向かって幅が狭くなる間隔が形成される。この間隔部分に連結部材を配置し、連結部材の側面を２つの支持部材の斜辺の側面部に当接させ、連結部材と支持部材の凹凸形状部を互いに係合させることで、連結部材を介して２つの支持部材を連結することができる。
【００３６】
この連結において、連結部材と支持部材の凹凸形状部が係合する係合位置を変更すると、連結部材と支持部材とが連結する連結位置を調整自在とすることができる。連結部材が支持部材と連結する連結位置によって、２つの支持部材間に間隔が変化する。
【００３７】
また、本発明の洗濯機支持台が備える支持部材は、長手方向の辺の内の少なくとも一方の辺に、支持面よりも高く突設した凸部を備える。この凸部は、支持面上に支持する洗濯機の脚部の横方向の移動を抑制するストッパの作用を奏し、洗濯機の振動によって洗濯機本体が横方向に移動してずれることを防ぐことができる。
【００３８】
本願発明の態様によれば、連結部材と支持部材との連結位置を変えることによって、２つの支持部材間の間隔を変更することができ、防水パンに配置する洗濯機の脚部間の距離にあわせて支持部材を防水パンの載置面上に配置することができる。
【００３９】
また、本願発明の形態によれば、支持部材の長手方向の辺に設けた凸部によって、洗濯機の振動による洗濯機のずれを抑制することができる。
【発明の効果】
【００４０】
以上説明したように、本発明の洗濯機支持台によれば、洗濯機の防水パンへの設置および引き出しの両作業を、スペースが限られた場所であっても容易とすると共に、両作業にそれぞれ要した治具を不要とすることができる。
【００４１】
本発明の洗濯機支持台によれば、洗濯機の防水パンへの設置および取り出しを行うための治具自体の取り付け作業および取り外し作業を不要とすることができる。
【図面の簡単な説明】
【００４２】
【図１】本願発明の洗濯機支持台の第１の構成例を説明するための図である。
【図２】本願発明の洗濯機支持台の第２の構成例を説明するための図である。
【図３】本願発明の洗濯機支持台の第３の構成例を説明するための図である。
【図４】本願発明の洗濯機支持台の第４の構成例を説明するための図である。
【図５】本願発明の洗濯機支持台の第５の構成例を説明するための図である。
【図６】本願発明の洗濯機支持台の第６の構成例を説明するための図である。
【図７】本願発明の洗濯機支持台の第６の構成例を説明するための図である。
【図８】本願発明の洗濯機支持台を用いた洗濯機の防水パンへの配置を説明するための図である。
【図９】本願発明の洗濯機支持台を用いた洗濯機の防水パンからの取り出しを説明するための図である。
【図１０】洗濯機の従来の防水パンへの配置を説明するための図である。
【発明を実施するための形態】
【００４３】
以下、本発明の実施の形態について、図を参照しながら詳細に説明する。以下、本発明の洗濯機支持台の構成例について、図１〜図９を用いて説明する。
【００４４】
図１は本願発明の洗濯機支持台の第１の構成例を説明するための図であり、図２は本願発明の洗濯機支持台の第２の構成例を説明するための図であり、図３は本願発明の洗濯機支持台の第３の構成例を説明するための図であり、図４は本願発明の洗濯機支持台の第４の構成例を説明するための図であり、図５は本願発明の洗濯機支持台の第５の構成例を説明するための図であり、図６，７は本願発明の洗濯機支持台の第６の構成例を説明するための図であり、図８は本願発明の洗濯機支持台を用いた洗濯機の防水パンへの配置を説明するための図であり、図９は本願発明の洗濯機支持台を用いた洗濯機の防水パンからの取り出しを説明するための図である。
【００４５】
［本願発明の第１の構成例］
はじめに、本願発明の洗濯機支持台の第１の構成例について図１を用いて説明する。図１に示す第１の構成例は、洗濯機支持台を１つの支持部材によって構成する例である。
【００４６】
図１において、本願発明の洗濯機支持台１は、支持面３上に洗濯機の脚部（図示していない）を支持する支持台であり、防水パン１１１の載置面１１４に配置して使用する。
【００４７】
防水パン１１１は、洗濯機からの漏水が床面に流れ出ることを防ぐ部材であり、平面矩形状の載置面１１４の四方周縁に、上方に向かって突設した立ち上がり部１１３ａ〜１１３ｄからなる周壁１１２を備え、載置面１１４には洗濯機（図示していない）からの排水パイプを接続して洗濯機が排出する水を排出すると共に、防水パン１１１に流れ出た洗濯機からの漏水を排出する排水口１１５を備える。
【００４８】
なお、図１では、周壁１１２の立ち上がり部１１３ａの上方を通過させることによって、洗濯機を防水パン１１１に対して導出入する場合を示している。
【００４９】
洗濯機支持台１の第１の構成例は１つの支持部材２Ａを備える構成であり、支持部材２Ａは防水パン１１１の載置面１１４上に着脱自在に設置し、防水パン１１１に配置した洗濯機の脚部を支持する。
【００５０】
支持部材２Ａは、洗濯機の脚部を支持する支持面３を備え、支持面３の外周の４辺の内、洗濯機の導出入を行う辺を除く辺には支持面３よりも高く突設した凸部を備える。この凸部は、支持面３上に支持する洗濯機の脚部が、洗濯機の振動等によって移動することを抑制するストッパ４を構成する。図１では、ストッパ４として、洗濯機の導出入を行う辺を除く３辺に凸部を突設した例を示している。
【００５１】
支持部材２の支持面３の高さｈは、防水パン１１１の載置面１１４から、周壁１１２の立ち上がり部１１３の内、少なくとも洗濯機を導出入する側の立ち上がり部１１３ａの上端部までの高さＨと同じ高さである。
【００５２】
また、支持部材２Ａは、洗濯機の脚部を支持する支持面３を備える平面矩形状の部材とし、周囲の４辺の外寸は、設置する防水パンの載置面の四方周縁の内寸よりも小寸とし、防水パンの１１１の載置面１１４上に設置した際に、部材の外周側壁面と防水パン１１１の載置面１１４の四方周縁の内壁面との間に隙間を形成する。
【００５３】
支持部材２Ａの外周側壁面と防水パン１１１の内壁面との間に隙間を形成することによって、洗濯機から漏れ出た漏水は支持面３に溜まることなく防水パン１１１の載置面１１４に流下し、排水口１１５から外部に排水させることができる。
【００５４】
支持部材２Ａの支持面３の高さｈを立ち上がり部１１３ａの高さＨに合わせることによって、洗濯機支持台１を防水パン１１１の載置面１１４上に配置した状態において、洗濯機の脚部は、洗濯機支持台１の支持面３と、防水パン１１１の周壁１１２の少なくとも導出入側の立ち上がり部１１３ａの上端部とを同じ高さレベルで移動することになり、洗濯機を防水パン１１１へ導入する作業、および洗濯機を防水パン１１１から導出する作業を、洗濯機を傾けることなく行うことができる。
【００５５】
［洗濯機支持台を用いた動作例］
図８は、本願発明の洗濯機支持台を用いて洗濯機を防水パンに配置する状態を示している。図８において、防水パン１１１の載置面１１４上には洗濯機支持台１の支持部材２が配置されている。図８（ａ）は、洗濯機１０１の後方脚部１０２ｂを持ち上げて、防水パン１１１の立ち上がり部１１３ａを乗り越えさせた後、支持部材２の支持面３上に載せた状態を示している。洗濯機の後方脚部を導入する移動では、立ち上がり部１１３ａの上端部と支持面３の高さレベルが同じであるため、洗濯機の前方脚部１０２ａを立ち上がり部１１３ａから支持部材２の支持面３へ移動させる作業を円滑に行うことができる。
【００５６】
図８（ｂ）は、図８（ａ）の状態から更に洗濯機を奥行き方向に移動させ、洗濯機１０１の前方脚部１０２ａを防水パン１１１の立ち上がり部１１３ａを乗り越えさせて、支持部材２の支持面３上に載せる状態を示している。
【００５７】
洗濯機の前方脚部を導入する移動では、立ち上がり部１１３ａの上端部と支持面３の高さレベルが同じであるため、洗濯機の前方脚部１０２ａを立ち上がり部１１３ａから支持部材２の支持面３へ移動させる作業を、洗濯機１０１を傾けることなく行うことができる。
【００５８】
一方、図９は本願発明の洗濯機支持台を用いて洗濯機を防水パンから取り出す状態を示している。図９において、洗濯機１０１は防水パン１１１の載置面１１４上に配置して洗濯機支持台１の支持部材２上に設置され、防水パン１１１から取り出した洗濯機を台１０に移動させる例を示している。
【００５９】
図９（ａ）は、洗濯機１０１の前方脚部１０２ａを、支持部材２支持面３から前方立ち上がり部１１３ａを経て、台１０の支持面１１上に移動させた状態を示している。洗濯機の前方脚部を導出する移動では、立ち上がり部１１３ａの上端部と支持面３の高さレベルが同じであるため、洗濯機の前方脚部１０２ａを立ち上がり部１１３ａから台１０の支持面１１へ移動させる作業を円滑に行うことができる。
【００６０】
図９（ｂ）は、図９（ａ）の状態から更に洗濯機を引き出し方向に移動させ、洗濯機１０１の後方脚部１０２ｂを防水パン１１１の立ち上がり部１１３ａを乗り越えさせて、洗濯機を台１０の支持面１１上に移動させる状態を示している。
【００６１】
洗濯機の後方脚部を導出する移動では、立ち上がり部１１３ａの上端部と支持面３の高さレベルが同じであるため、洗濯機の後方脚部１０２ｂを立ち上がり部１１３ａから台１０の支持面１１へ移動させる作業を、洗濯機１０１を傾けることなく行うことができる。
【００６２】
なお、図９では台１０を用いて洗濯機を取り出す場合を示しているが、台１０を用いない場合においても、同様の動作を行うことができる。
【００６３】
［本願発明の第２の構成例］］
次に、本願発明の洗濯機支持台の第２の構成例について図２を用いて説明する。第２の構成例は、洗濯機支持台を２の支持部材と１つの連結部材とによって構成する例である。図２（ａ）は支持部材を示し、図２（ｂ）は連結部材を示し、図２（ｃ）は洗濯機支持台を防水パン内に配置した状態を示している。
【００６４】
洗濯機支持台１を構成する２つの支持部材２Ａは同一形状とすることができ、長手方向に伸びる柱状形状であり、上面には洗濯機の脚部を支持する支持面３を備える。支持面３の底部からの高さｈは、防水パン１１１の載置面１１４から立ち上がり部１１３ａの上端部までの高さＨと同じ高さである。
【００６５】
支持部材２Ａの支持面３の高さｈを立ち上がり部１１３ａの高さＨに合わせることによって、洗濯機支持台１を防水パン１１１の載置面１１４上に配置した状態において、洗濯機の脚部は、洗濯機支持台１の支持面３と、防水パン１１１の周壁１１２の少なくとも導出入側の立ち上がり部１１３ａの上端部とを同じ高さレベルで移動することになり、洗濯機を防水パン１１１へ導入する作業、および洗濯機を防水パン１１１から導出する作業を、洗濯機を傾けることなく行うことができる。
【００６６】
２つの支持部材２Ａは連結部材５Ａによって連結される。支持部材２Ａの支持面３には、連結部材５Ａの結合部７Ａと連結するための結合部６Ａが形成される。結合部６Ａは、支持面３に連結部材５Ａの厚さと幅が同じ寸法の溝８を形成して成り、この溝８内に連結部材５Ａをはめ込み、結合部６Ａと結合部７Ａとの接触面を結合することによって、連結部材５Ａを介して２つの支持部材２Ａを連結する。支持部材２Ａと連結部材５Ａとの結合は、例えば、結合部６Ａ，７Ａが互いに接触する表面に微少な凹凸形状からなる粗面を形成して、粗面の摩擦によって行う他、支持部材２Ａと連結部材５Ａの結合部６Ａ，７Ａの接触部分に接着剤材を塗布することによって行うことができる。
【００６７】
図２（ｃ）は、２つの支持部材２Ａを連結部材５Ａによって連結した状態を示している。ここで、連結部材５Ａの厚さおよび幅と、支持部材２Ａの溝８の深および幅の各寸法を合わせることによって、連結部材５Ａを支持部材２Ａに取り付けた状態において、支持部材２Ａの支持面３と連結部材５Ａの上面とは同一の高さレベルとすると共に、洗濯機の脚部が移動する面が連続した面となり、洗濯機の脚部を支持面上で円滑に移動させることができる。
【００６８】
また、支持部材２Ａの長手方向の長さは、設置する防水パンの載置面の四方周縁の奥行き方向の内寸よりも小寸とし、防水パンの１１１の載置面１１４上に設置した際に、支持部材２Ａの外周側壁面と防水パン１１１の載置面１１４の四方周縁の内壁面との間に隙間を形成する。
【００６９】
また、連結部材５Ａの長手方向の長さは、設置する防水パンの載置面の四方周縁の幅方向の内寸よりも小寸とし、防水パンの１１１の載置面１１４上に設置した際に、支持部材２Ａの外周側壁面と防水パン１１１の載置面１１４の四方周縁の内壁面との間に隙間を形成する。
【００７０】
支持部材２Ａの外周側壁面と防水パン１１１の内壁面との間、および連結部材５Ａの外周側壁面と防水パン１１１の内壁面との間に隙間を形成することによって、洗濯機から漏れ出た漏水は支持面３に溜まることなく防水パン１１１の載置面１１４に流下し、排水口１１５から外部に排水させることができる。
【００７１】
支持部材２Ａの支持面３の辺には、洗濯機の導出入を行う辺を除く辺において、洗濯機の脚部が振動によって接触する位置に凸部を突設することができる。この突設した凸部は、洗濯機が振動して脚部が移動した際のストッパをして作用する。
［本願発明の第３の構成例］］
次に、本願発明の洗濯機支持台の第３の構成例について図３を用いて説明する。第３の構成例は、洗濯機支持台を２の支持部材と１つの連結部材とによって構成する例である。図３（ａ）は支持部材を示し、図３（ｂ）は連結部材を示し、図３（ｃ）は洗濯機支持台を防水パン内に配置した状態を示している。
【００７２】
第３の構成例は第２の構成例とほぼ同様であり、支持部材２Ｂの結合部６Ｂおよび連結部材５Ｂの結合部７Ｂの構成の点で相違する。以下では、結合部６Ａ，７Ｂの構成について説明し、その他の構成については第２の構成と同様とすることができるため省略する。
【００７３】
支持部材２Ｂの支持面３に形成した溝８の側面部分に凹凸形状部６Ｂａを形成して結合部６Ｂとする。一方、連結部材５Ｂでは、連結部材５Ｂを支持部材２Ｂに形成した溝８内にはめ込む際に支持部材２Ｂ側の結合部６Ｂの凹凸形状部６Ｂａと対向する側面に、結合部６Ｂの凹凸形状部６Ｂａと係合する凹凸形状部７Ｂａを形成して結合部７Ｂとする。
【００７４】
支持部材２Ｂと連結部材５Ｂとは、結合部６Ｂの凹凸形状部６Ｂａと結合部７Ｂの凹凸形状部７Ｂａとの各凹凸部を係合することによって行うことができ、係合する位置を変えることができる。
【００７５】
更に、結合部６Ｂの凹凸形状部６Ｂａと結合部７Ｂの凹凸形状部７Ｂａとが係合する位置を変えることによって、支持部材２Ｂと連結部材５Ｂとの連結位置を変更することができる。支持部材２Ｂと連結部材５Ｂとの連結位置を変更することによって、支持部材２Ｂ上に配置する洗濯機の脚部間の間隔に合わせて支持部材２Ｂ間の配置間隔を変えることができる。
【００７６】
［本願発明の第４の構成例］］
次に、本願発明の洗濯機支持台の第４の構成例について図４を用いて説明する。第４の構成例は、洗濯機支持台を２の支持部材と１つの連結部材とによって構成する例である。図４（ａ）は支持部材を示し、図４（ｂ）は連結部材を示し、図４（ｃ）は洗濯機支持台を防水パン内に配置した状態を示している。
【００７７】
第４の構成例は第２の構成例および第３の構成例とほぼ同様であり、支持部材２Ｃの結合部６Ｃおよび連結部材５Ｃの結合部７Ｃの構成の点で相違する。以下では、結合部６Ｃ，７Ｃの構成について説明し、その他の構成については第２，３の構成と同様とすることができるため省略する。
【００７８】
支持部材２Ｃの支持面３に形成した溝８の底面部分に凹凸形状部６Ｃａを形成して結合部６Ｃとする。一方、連結部材５Ｃは、連結部材５Ｃを支持部材２Ｃに形成した溝８内にはめ込む際に支持部材２Ｃ側の結合部６Ｃの凹凸形状部６Ｃａと対向する平面に、結合部６Ｃの凹凸形状部６Ｃａと係合する凹凸形状部７Ｃａを形成して結合部７Ｃとする。
【００７９】
支持部材２Ｃと連結部材５Ｃとは、結合部６Ｃの凹凸形状部６Ｃａと結合部７Ｃの凹凸形状部７Ｃａとの各凹凸部を係合することによって行うことができ、係合する位置を変えることができる。
【００８０】
更に、結合部６Ｃの凹凸形状部６Ｃａと結合部７Ｃの凹凸形状部７Ｃａとが係合する位置を変えることによって、支持部材２Ｃと連結部材５Ｃとの連結位置を変更することができる。支持部材２Ｃと連結部材５Ｃとの連結位置を変更することによって、支持部材２Ｂ上に配置する洗濯機の脚部間の間隔に合わて支持部材２Ｃ間の配置間隔を変えることができる。
【００８１】
［本願発明の第５の構成例］］
次に、本願発明の洗濯機支持台の第５の構成例について図５を用いて説明する。第５の構成例は、洗濯機支持台を２の支持部材と１つの連結部材とによって構成する例である。図５（ａ）は支持部材を示し、図５（ｂ）は連結部材を示し、図５（ｃ）は洗濯機支持台を防水パン内に配置した状態を示している。
【００８２】
第５の構成例は第２の構成例とほぼ同様であり、支持部材２Ｄの結合部６Ｄおよび連結部材５Ｄの結合部７Ｄの構成の点で相違する。以下では、主に結合部６Ｄ，７Ｄの構成について説明し、その他の構成については第２の構成と同様とすることができるため省略する。
【００８３】
２つの支持部材２Ｄは連結部材５Ｄによって連結される。支持部材２Ｄの支持面３の反対側の底面部分には、連結部材５Ｄの結合部７Ｄと連結するための結合部６Ｄが形成される。結合部６Ｄは、支持部材２Ｄの底面部分に連結部材５Ｄの厚さと幅が同じ寸法の溝８を形成して成り、この溝８内に連結部材５Ｄをはめ込み、結合部６Ｄと結合部７Ｄとの接触面を結合することによって、連結部材５Ｄを介して２つの支持部材２Ｄを連結する。支持部材２Ｄと連結部材５Ｄとの結合は、例えば、結合部６Ｄ，７Ｄが互いに接触する表面に微少な凹凸形状からなる粗面を形成して、粗面の摩擦によって行う他、支持部材２Ｄと連結部材５Ｄの結合部６Ｄ，７Ｄの接触部分に接着剤材を塗布することによって行うことができる。
【００８４】
支持部材２Ｄと連結部材５Ｄとは、結合部６Ｄに形成した凹凸形状部６Ｄａと結合部７Ｄに形成した凹凸形状部７Ｄａとの各凹凸部を係合することによって行うことができ、係合する位置を変えることができる。図５（ｂ）では、凹凸形状部７Ｄａを粗面で形成した例を示している。
【００８５】
更に、結合部６Ｄの凹凸形状部６Ｄａと結合部７Ｄの凹凸形状部７Ｄａとが係合する位置を変えることによって、支持部材２Ｄと連結部材５Ｄとの連結位置を変更することができる。支持部材２Ｄと連結部材５Ｄとの連結位置を変更することによって、支持部材２Ｄ上に配置する洗濯機の脚部間の間隔に合わて支持部材２Ｄ間の配置間隔を変えることができる。
【００８６】
［本願発明の第６の構成例］
はじめに、本願発明の洗濯機支持台の第６の構成例について図６，７を用いて説明する。第６の構成例は、洗濯機支持台を２つの支持部材と１つの連結部材によって構成する例である。
【００８７】
洗濯機支持台１を構成する２つの支持部材２Ｅは同一形状とすることができ、防水パン１１１内に配置した際に、奥行き方向に向かって幅が広くなる台形形状であり、斜辺２Ｅａを備え、支持部材２Ｅの上面には洗濯機の脚部を支持する支持面３を備える。支持面３の底部からの高さｈは、防水パン１１１の載置面１１４から立ち上がり部１１３ａの上端部までの高さＨと同じ高さである。
【００８８】
支持部材２Ｅの支持面３の高さｈを立ち上がり部１１３ａの高さＨに合わせることによって、洗濯機支持台１を防水パン１１１の載置面１１４上に配置した状態において、洗濯機の脚部は、洗濯機支持台１の支持面３と、防水パン１１１の周壁１１２の少なくとも導出入側の立ち上がり部１１３ａの上端部とを同じ高さレベルで移動することになり、洗濯機を防水パン１１１へ導入する作業、および洗濯機を防水パン１１１から導出する作業を、洗濯機を傾けることなく行うことができる。また、連結部材５Ｅは、支持部材２Ｅの斜辺と同じ傾きの斜辺を両側に備える楔状の台形形状である。
【００８９】
２つの支持部材２Ｅは連結部材５Ｅによって連結される。連結は、支持部材２Ｅの結合部６Ｅと、連結部材５Ｅの結合部７Ｅとによって行われる。
【００９０】
支持部材２Ｅの結合部６Ｅは、例えば、支持部材２Ｅの斜辺２Ｅａの所定位置に形成した複数の凹凸形状部６Ｅａとすることができる。また、連結部材５Ｅの結合部７Ｅは、例えば、連結部材５Ｅの斜辺５Ｅａに形成した凹凸形状部７Ｅａとすることができる。なお、連結部材５Ｅが備える結合部７Ｅの凹凸形状部７Ｅａを複数個とし、支持部材２Ｅが備える結合部６Ｅの凹凸形状部６Ｅａを１個とする構成、あるいは、凹凸形状部６Ｅａおよび凹凸形状部７Ｅａを共に複数個とする構成としてもよい。
【００９１】
また、図６，７では凹凸形状部６Ｅａ，７Ｅａとして断面形状を弧状の凹凸形状としているが、断面形状は弧状に限らず、互いに係合する形状であれば任意の形状とすることができる。
【００９２】
支持部材２Ｅの結合部６Ｅと連結部材５Ｅの結合部７Ｅとが結合部する位置は、凹凸形状部６Ｅａと凹凸形状部７Ｅａとの係合する位置関係によって定まる。支持部材２Ｅと連結部材５Ｅとは互いに斜辺２Ｅａと５Ｅａとを対向して配置することによって、支持部材２Ｅの結合部６Ｅと連結部材５Ｅの結合部７Ｅとが係合する位置を変えることによって、２つの支持部材２Ｅ間の間隔を変更することができる。
【００９３】
図６は、連結部材５Ｅを支持部材２Ｅの斜辺２Ｅａにおいて短辺側に近づけて配置した例を示している。この連結部材５Ｅの配置によって、２つの支持部材２Ｅ間の距離を小さくすることができる。また、図７は、連結部材５Ｅを支持部材２Ｅの斜辺２Ｅａにおいて奥行き方向の長辺側に近づけて配置した例を示している。この連結部材５ｅの配置によって、２つの支持部材２Ｅ間の距離を大きくすることができる。
【００９４】
また、支持部材２Ｅの長手方向の長さは、設置する防水パンの載置面の四方周縁の奥行き方向の内寸よりも小寸とし、防水パンの１１１の載置面１１４上に設置した際に、支持部材２Ｅの外周側壁面と防水パン１１１の載置面１１４の四方周縁の内壁面との間に隙間を形成する。
【００９５】
また、連結部材５Ｅを奥行き方向で最も奥の位置に配置して、２つの支持部材２Ｅの距離を離したときにおいて、２つの支持部材２Ｅの外側の辺間の距離を、防水パン１１１の内周の幅よりも小さくなるように、支持部材２Ｅの幅および連結部材５Ｅの幅を定めることによって、支持部材２Ｅの外周側壁面と防水パン１１１の載置面１１４の四方周縁の内壁面との間に隙間を形成する。
【００９６】
支持部材２Ａの外周側壁面と防水パン１１１の内壁面との間に隙間を形成することによって、洗濯機から漏れ出た漏水は支持面３に溜まることなく防水パン１１１の載置面１１４に流下し、排水口１１５から外部に排水させることができる。
【００９７】
支持部材２Ａの支持面３の辺には、洗濯機の導出入を行う辺および斜辺を除く辺において、洗濯機の脚部が振動によって接触する位置に凸部を突設することができる。この突設した凸部は、洗濯機が振動して脚部が移動した際のストッパをして作用する。
【００９８】
なお、本発明は前記各実施の形態に限定されるものではない。本発明の趣旨に基づいて種々変形することが可能であり、これらを本発明の範囲から排除するものではない。
【産業上の利用可能性】
【００９９】
本発明のドラム洗濯機が備える支持部の機構は、ドラム洗濯機に限らず、ドラム乾燥機に適用することができる。
【符号の説明】
【０１００】
１    洗濯機支持台
２    支持部材
２Ａ    支持部材
２Ｂ    支持部材
２Ｃ    支持部材
２Ｄ    支持部材
２Ｅ    支持部材
２Ｅａ    斜辺
３    支持面
４    ストッパ
５Ａ    連結部材
５Ｂ    連結部材
５Ｃ    連結部材
５Ｄ    連結部材
５Ｅ    連結部材
５Ｅａ  斜辺
６Ａ  結合部
６Ｂ  結合部
６Ｃ    結合部
６Ｄ    結合部
６Ｅ    結合部
６Ｂａ  凹凸形状部
６Ｃａ  凹凸形状部
６Ｄａ  凹凸形状部
６Ｅａ  凹凸形状部
７Ａ    結合部
７Ｃ    結合部
７Ｄ    結合部
７Ｅ    結合部
７Ｂａ  凹凸形状部
７Ｃａ  凹凸形状部
７Ｄａ  凹凸形状部
７Ｅａ  凹凸形状部
８    溝
１０    台
１１    支持面
１０１  洗濯機
１０２ａ  前方脚部
１０２ｂ  後方脚部
１０３  背面
１１１  防水パン
１１２  周壁
１１３ａ  立ち上がり部
１１３ｂ  立ち上がり部
１１４  載置面
１１５  排水口
１２１  壁面
【図１】
2013198558.tif 000003
【図８】
2013198558.tif 000004
【図９】
2013198558.tif 000005
【図１０】
2013198558.tif 000006
【図２】
2013198558.tif 000007
【図３】
2013198558.tif 000008
【図４】
2013198558.tif 000009
【図５】
2013198558.tif 000010
【図６】
2013198558.tif 000011
【図７】
2013198558.tif 000012